(57)【特許請求の範囲】
【請求項１】
ユーザ機器(UE)におけるワイヤレス通信の方法であって、
前記UEにおいて、拡張物理ダウンリンク制御チャネル(ePDCCH)のためのリソースを示す拡張物理制御フォーマットインジケータチャネル(ePCFICH)を介してメッセージを受信するステップであって、前記メッセージは、局所型ePDCCHのために予約されたリソースと分散型ePDCCHのために予約されたリソースとを示す少なくとも1つのePCFICH値を含む、ステップと、
前記UEにおいて、前記少なくとも1つのePCFICH値に基づいて、前記局所型ePDCCHと前記分散型ePDCCHとの間で探索空間を分割するステップと、
前記UEにおいて、前記メッセージを使用して前記ePDCCHを処理するステップと
を含む、方法。
【請求項２】
少なくとも1つの物理制御フォーマットインジケータチャネル(PCFICH)値を受信するステップと、
前記少なくとも1つのPCFICH値および前記少なくとも1つのePCFICH値に基づいて、物理ダウンリンク制御チャネル(PDCCH)と前記ePDCCHとの間で探索空間を分割するステップと
をさらに含む、請求項1に記載の方法。
【請求項３】
ユーザ機器(UE)におけるワイヤレス通信のための装置であって、
前記UEにおいて、拡張物理ダウンリンク制御チャネル(ePDCCH)のためのリソースを示す拡張物理制御フォーマットインジケータチャネル(ePCFICH)を介してメッセージを受信するための手段であって、前記メッセージは、局所型ePDCCHのために予約されたリソースと分散型ePDCCHのために予約されたリソースとを示す少なくとも1つのePCFICH値を含む、手段と、
前記UEにおいて、前記少なくとも1つのePCFICH値に基づいて、前記局所型ePDCCHと前記分散型ePDCCHとの間で探索空間を分割するための手段と、
前記UEにおいて、前記メッセージを使用して前記ePDCCHを処理するための手段と
を含む、装置。
【請求項４】
少なくとも1つの物理制御フォーマットインジケータチャネル(PCFICH)値を受信するための手段と、
前記少なくとも1つのPCFICH値および前記少なくとも1つのePCFICH値に基づいて、物理ダウンリンク制御チャネル(PDCCH)と前記ePDCCHとの間で探索空間を分割するための手段と
をさらに含む、請求項3に記載の装置。
【請求項５】
ユーザ機器(UE)におけるワイヤレス通信のための装置であって、
処理システムであって、
前記UEにおいて、拡張物理ダウンリンク制御チャネル(ePDCCH)のためのリソースを示す拡張物理制御フォーマットインジケータチャネル(ePCFICH)を介してメッセージを受信することであって、前記メッセージは、局所型ePDCCHのために予約されたリソースと分散型ePDCCHのために予約されたリソースとを示す少なくとも1つのePCFICH値を含む、受信することと、
前記UEにおいて、前記少なくとも1つのePCFICH値に基づいて、前記局所型ePDCCHと前記分散型ePDCCHとの間で探索空間を分割することと、
前記UEにおいて、前記メッセージを使用して前記ePDCCHを処理することと
を行うように構成される処理システム
を含む、装置。
【請求項６】
前記処理システムが、
少なくとも1つの物理制御フォーマットインジケータチャネル(PCFICH)値を受信し、
前記少なくとも1つのPCFICH値および前記少なくとも1つのePCFICH値に基づいて、物理ダウンリンク制御チャネル(PDCCH)と前記ePDCCHとの間で探索空間を分割する
ようにさらに構成される、請求項5に記載の装置。
【請求項７】
コンピュータによって実行される場合に、請求項1または2に記載のステップを実行するためのコンピュータ実行可能命令を備える、コンピュータプログラム。
【発明の詳細な説明】
【技術分野】
【０００１】
関連出願の相互参照
本出願は、その全体が参照により本明細書に明確に組み込まれる、2012年8月3日に出願された「INTERACTION BETWEEN EPCFICH AND EPDCCH IN LTE」と題する米国仮出願第61/679,655号の利益を主張し、2012年9月28日に出願された「INTERACTION BETWEEN EPCFICH AND EPDCCH IN LTE」と題する米国仮出願第61/707,854号および2013年7月16日に出願された「INTERACTION BETWEEN EPCFICH AND EPDCCH IN LTE」と題する米国特許出願第13/943,756号の利益を主張するものである。
【０００２】
本開示は、一般に通信システムに関し、より詳細には通信システムにおける制御チャネル情報の配信に関する。
【背景技術】
【０００３】
電話、ビデオ、データ、メッセージング、および放送などの様々な電気通信サービスを提供するために、ワイヤレス通信システムが広範囲に配備されている。通常のワイヤレス通信システムは、利用可能なシステムリソース(たとえば、帯域幅、送信電力)を共有することによって複数のユーザとの通信をサポートすることが可能な多元接続技術を利用することができる。そのような多元接続技術の例としては、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムが挙げられる。
【０００４】
これらの多元接続技術は、異なるワイヤレスデバイスが自治体、国家、地域、さらには地球規模で通信することを可能にする共通プロトコルを提供するために、様々な電気通信規格において採用されている。新生の電気通信規格の一例は、ロングタームエボリューション(LTE)である。LTEは、第3世代パートナーシッププロジェクト(3GPP)によって公表されたUniversal Mobile Telecommunications System(UMTS)モバイル規格に対する拡張セットである。これは、スペクトル効率を改善することによってモバイルブロードバンドインターネットアクセスをよりよくサポートすること、コストを下げること、サービスを改善すること、新しいスペクトルを利用すること、および、ダウンリンク(DL)上のOFDMAとアップリンク(UL)上のSC-FDMAと多入力多出力(MIMO)アンテナ技術とを使用して他のオープン規格とよりよく統合することを行うように設計されている。しかし、モバイルブロードバンドアクセスに対する需要が増加し続けるのに伴い、LTE技術をさらに改善することが必要とされている。好ましくは、これらの改善は、他の多元接続技術、およびこれらの技術を利用する電気通信規格に適用可能であるべきである。
【発明の概要】
【課題を解決するための手段】
【０００５】
本開示の一態様では、方法、コンピュータプログラム製品、および装置が提供される。たとえば、装置はUEであり得る。様々な態様では、装置は、拡張物理ダウンリンク制御チャネル(ePDCCH)を受信し処理するために、eNBから情報を受信することができる。一態様では、装置はePDCCHのためのリソースを示す拡張物理制御フォーマットインジケータチャネル(ePCFICH)を介してメッセージを受信し、ePDCCHは局所型ePDCCHまたは分散型ePDCCHのうちの少なくとも1つである。装置はメッセージを使用してePDCCHを処理する。たとえば、受信されたメッセージは少なくとも1つのePCFICH値を含むことができ、装置は、少なくとも1つのePCFICH値に基づいて、局所型ePDCCHと分散型ePDCCHとの間で探索空間を分割することができる。別の例として、装置は少なくとも1つの物理制御フォーマットインジケータチャネル(PCFICH)値を受信することができ、少なくとも1つのPCFICH値および少なくとも1つのePCFICH値に基づいて、物理ダウンリンク制御チャネル(PDCCH)とePDCCHとの間で探索空間を分割することができる。
【０００６】
一態様では、装置はeNBからダウンリンク(DL)信号内のePCFICHを受信することができ、ePCFICHは少なくとも物理セル識別子(PCI)または仮想セル識別子の関数であり、仮想セル識別子はPCIに基づかない。装置は、受信されたePCFICHを使用してDL信号内のePDCCHを処理することができる。
【０００７】
一態様では、装置はeNBからDL信号を受信することができ、ePCFICHがDL信号内で検出されなかったときに、リソースのデフォルトセットを使用してePDCCHを処理することができる。
【０００８】
一態様では、装置は少なくとも1つのePCFICH値を受信することができ、受信された少なくとも1つのePCFICH値に少なくとも基づいて、ePDCCHの開始シンボルインデックスまたは1つもしくは複数のePDCCHリソースセットのいずれかを判断することができる。たとえば、装置はePDCCHリソースセットの数、少なくとも1つのePDCCHリソースセットのサイズ、少なくとも1つのePDCCHリソースのロケーション、および/または少なくとも1つのePDCCHリソースセットのePDCCH送信モードをさらに判断することができる。
【０００９】
本開示の一態様では、方法、コンピュータプログラム製品、および装置が提供される。たとえば、装置はeNBであり得る。eNBは、ePDCCHをユニキャストまたはブロードキャスト送信として構成し、ePDCCHがユニキャスト送信用に構成されているか、ブロードキャスト送信用に構成されているかに基づいて、ePCFICHのための第1のアンテナポートおよびePDCCHのための第2のアンテナポートを割り振り、割振りに基づいて、ePCFICHおよびePDCCHを送信することができる。eNBは第1のアンテナポートを使用してePCFICHを送信することができ、第2のアンテナポートを使用してePDCCHを送信することができる。たとえば、ePDCCHがユニキャスト送信として構成されるとき、第1のアンテナポートは第2のアンテナポートとは異なっていてもよい。
【図面の簡単な説明】
【００１０】
【図１】ネットワークアーキテクチャの一例を示す図である。
【図２】アクセスネットワークの一例を示す図である。
【図３】LTEにおけるDLフレーム構造の一例を示す図である。
【図４】LTEにおけるULフレーム構造の一例を示す図である。
【図５】ユーザプレーンおよび制御プレーンの無線プロトコルアーキテクチャの一例を示す図である。
【図６】アクセスネットワーク内の発展型ノードBおよびユーザ機器の一例を示す図である。
【図７】異種ネットワーク内の範囲拡張されたセルラー領域を示す図である。
【図８】サブフレームを示す図である。
【図９】ワイヤレス通信の方法のフローチャートである。
【図１０】ワイヤレス通信の方法のフローチャートである。
【図１１】ワイヤレス通信の方法のフローチャートである。
【図１２】ワイヤレス通信の方法のフローチャートである。
【図１３】ワイヤレス通信の方法のフローチャートである。
【図１４】例示的な装置における異なるモジュール/手段/構成要素間のデータフローを示す概念データフロー図である。
【図１５】処理システムを利用する装置のためのハードウェア実装の一例を示す図である。
【図１６】例示的な装置における異なるモジュール/手段/構成要素間のデータフローを示す概念データフロー図である。
【図１７】処理システムを利用する装置のためのハードウェア実装の一例を示す図である。
【発明を実施するための形態】
【００１１】
添付の図面に関して以下に記載する詳細な説明は、様々な構成の説明として意図されており、本明細書で説明する概念が実践され得る唯一の構成を表すことは意図されていない。発明を実施するための形態は、様々な概念の完全な理解をもたらす目的で、具体的な詳細を含んでいる。しかし、これらの概念がこれらの具体的な詳細なしに実践され得ることが、当業者には明らかであろう。場合によっては、そのような概念を曖昧にするのを回避する目的で、周知の構造および構成要素がブロック図の形式で示されている。
【００１２】
次に、電気通信システムのいくつかの態様を、様々な装置および方法を参照して提示する。これらの装置および方法は、以下の発明を実施するための形態で説明され、様々なブロック、モジュール、構成要素、回路、ステップ、プロセス、アルゴリズムなど(「要素」と総称される)によって添付の図面に示される。これらの要素は、電子ハードウェア、コンピュータソフトウェア、またはそれらの任意の組合せを使用して実装することができる。そのような要素をハードウェアとして実装するか、またはソフトウェアとして実装するかは、特定の用途およびシステム全体に課される設計制約に依存する。
【００１３】
例として、要素または要素の任意の部分または要素の任意の組合せを、1つまたは複数のプロセッサを含む「処理システム」で実装することができる。プロセッサの例としては、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明される様々な機能を実行するように構成された他の適切なハードウェアが挙げられる。処理システム内の1つまたは複数のプロセッサは、ソフトウェアを実行することができる。ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００１４】
したがって、1つまたは複数の例示的な実施形態では、説明する機能は、ハードウェア、ソフトウェア、ファームウェア、またはそれらの任意の組合せで実装され得る。ソフトウェアで実装される場合、機能は、1つまたは複数の命令またはコードとしてコンピュータ可読媒体上に記憶されるか、または符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送もしくは記憶するために使用でき、コンピュータによってアクセスできる、任意の他の媒体を含み得る。本明細書で使用する場合、ディスク(disk)およびディスク(disc)は、コンパクトディスク(CD)、レーザーディスク(登録商標)、光ディスク、デジタル多用途ディスク(DVD)、およびフロッピー(登録商標)ディスクを含み、ディスク(disk)は、通常、磁気的にデータを再生し、ディスク(disc)は、レーザーで光学的にデータを再生する。上記の組合せもコンピュータ可読媒体の範囲内に含めるべきである。
【００１５】
図1は、LTEネットワークアーキテクチャ100を示す図である。LTEネットワークアーキテクチャ100は、発展型パケットシステム(EPS)100と呼ばれることがある。EPS 100は、1つまたは複数のユーザ機器(UE)102、発展型UMTS地上波無線アクセスネットワーク(E-UTRAN)104、発展型パケットコア(EPC)110、ホーム加入者サーバ(HSS)120、および事業者のIPサービス122を含み得る。EPSは、他のアクセスネットワークと相互接続する可能性があるが、簡単にするために、それらのエンティティ/インターフェースは示していない。図示のように、EPSはパケット交換サービスを提供するが、当業者なら容易に諒解するように、本開示の全体を通して提示する様々な概念は、回線交換サービスを提供するネットワークに拡張することができる。
【００１６】
E-UTRANは、発展型ノードB(eNB)106および他のeNB 108を含む。eNB 106は、UE 102に対してユーザプレーンプロトコル終端と制御プレーンプロトコル終端とを与える。eNB 106は、バックホール(たとえばX2インターフェース)を介して他のeNB 108に接続されてよい。eNB 106は、基地局、トランシーバ基地局、無線基地局、無線トランシーバ、トランシーバ機能、基本サービスセット(BSS)、拡張サービスセット(ESS)と呼ばれるか、または他の何らかの適切な用語で呼ばれることもある。eNB 106は、UE 102にEPC 110へのアクセスポイントを与える。UE 102の例としては、セルラーフォン、スマートフォン、セッション開始プロトコル(SIP)フォン、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲームコンソール、または同様に機能する任意の他のデバイスが挙げられる。UE 102は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントと呼ばれるか、または他の何らかの適切な用語で呼ばれることもある。
【００１７】
eNB 106は、(たとえばS1インターフェースを介して)EPC 110に接続される。EPC 110は、モビリティ管理エンティティ(MME)112、他のMME 114、サービングゲートウェイ116、およびパケットデータネットワーク(PDN)ゲートウェイ118を含む。MME 112は、UE 102とEPC 110との間のシグナリングを処理する制御ノードである。一般に、MME 112は、ベアラおよび接続管理を提供する。すべてのユーザIPパケットは、サービングゲートウェイ116を介して転送され、サービングゲートウェイ116自体は、PDNゲートウェイ118に接続される。PDNゲートウェイ118は、UE IPアドレス割振りならびに他の機能を提供する。PDNゲートウェイ118は、事業者のIPサービス122に接続される。オペレータのIPサービス122は、インターネット、イントラネット、IPマルチメディアサブシステム(IMS)、およびPSストリーミングサービス(PSS)を含み得る。
【００１８】
図2は、LTEネットワークアーキテクチャにおけるアクセスネットワーク200の一例を示す図である。この例では、アクセスネットワーク200は、いくつかのセルラー領域(セル)202に分割される。1つまたは複数の低電力クラスeNB 208は、セル202のうちの1つまたは複数と重なるセルラー領域210を有することができる。低電力クラスeNB 208は、フェムトセル(たとえば、ホームeNB(HeNB))、ピコセル、マイクロセル、またはリモート無線ヘッド(RRH)とすることができる。マクロeNB 204は各々、それぞれのセル202に割り当てられ、セル202中のすべてのUE 206にEPC 110へのアクセスポイントを提供するように構成される。アクセスネットワーク200のこの例では集中型コントローラはないが、代替構成では集中型コントローラが使用されてもよい。eNB 204は、無線ベアラ制御、アドミッション制御、モビリティ制御、スケジューリング、セキュリティ、およびサービングゲートウェイ116への接続性を含めた、すべての無線関連機能を担う。
【００１９】
アクセスネットワーク200によって利用される変調方式および多元接続方式は、導入されている特定の電気通信規格に応じて異なり得る。LTE適用例では、DL上ではOFDMが使用され、かつUL上ではSC-FDMAが使用されて、周波数分割複信(FDD)と時分割複信(TDD)の両方がサポートされる。当業者なら以下の詳細な説明から容易に諒解するように、本明細書で提示する様々な概念は、LTE適用例に好適である。しかし、これらの概念は、他の変調技法および多元接続技法を利用する他の電気通信規格に容易に拡張することができる。例として、これらの概念は、エボリューションデータオプティマイズド(EV-DO)またはウルトラモバイルブロードバンド(UMB)に拡張することができる。EV-DOおよびUMBは、CDMA2000規格ファミリーの一部として第3世代パートナーシッププロジェクト2(3GPP2)によって公表されたエアインターフェース規格であり、CDMAを利用してブロードバンドインターネットアクセスを移動局に提供する。これらの概念はまた、広帯域CDMA(W-CDMA)およびTD-SCDMAなどのCDMAの他の変形形態を利用するUniversal Terrestrial Radio Access(UTRA)、TDMAを利用するGlobal System for Mobile Communications(GSM(登録商標))、ならびにOFDMAを利用するEvolved UTRA(E-UTRA)、IEEE 802.11(Wi-Fi)、IEEE 802.16(WiMAX)、IEEE 802.20、およびFlash-OFDMに拡張され得る。UTRA、E-UTRA、UMTS、LTE、およびGSM(登録商標)は、3GPP団体による文書に記載されている。CDMA2000およびUMBは、3GPP2団体による文書に記載されている。利用される実際のワイヤレス通信規格、および多元接続技術は、特定の用途およびシステムに課される全体的な設計制約に依存する。
【００２０】
eNB 204は、MIMO技術をサポートする複数のアンテナを有し得る。MIMO技術の使用により、eNB 204は空間領域を活用して、空間多重化、ビームフォーミング、および送信ダイバーシティをサポートすることができる。空間多重化を使用して、同じ周波数で同時に様々なデータストリームを送信することができる。データストリームを単一のUE 206に送信してデータレートを増大させることができ、または、複数のUE 206に送信して全体的なシステム容量を増大させることができる。これは、各データストリームを空間的にプリコーディングし(すなわち、振幅および位相のスケーリングを適用し)、次いで、空間的にプリコーディングされた各ストリームをDL上で複数の送信アンテナを介して送信することによって、達成される。空間的にプリコーディングされたデータストリームは、異なる空間シグネチャとともにUE 206に到達し、これにより、UE 206の各々は、そのUE 206に向けられた1つまたは複数のデータストリームを回復することができる。UL上では、各UE 206は、空間的にプリコーディングされたデータストリームを送信し、これにより、eNB 204は、空間的にプリコーディングされた各データストリームのソースを識別することができる。
【００２１】
空間多重化は、一般に、チャネル条件が良いときに使用される。チャネル条件があまり良好でないときは、ビームフォーミングを使用して、送信エネルギーを1つまたは複数の方向に集中させることができる。これは、複数のアンテナを介して送信するためにデータを空間的にプリコーディングすることによって達成することができる。セルのエッジで良いカバレージを達成するために、単一ストリームのビームフォーミング送信を、送信ダイバーシティと組み合わせて使用することができる。
【００２２】
以下の詳細な説明では、アクセスネットワークの様々な態様について、DL上でOFDMをサポートするMIMOシステムを参照しながら説明する。OFDMは、OFDMシンボル内でいくつかのサブキャリアにわたってデータを変調するスペクトル拡散技法である。サブキャリアは、正確な周波数で間隔があけられる。離間は、受信機がサブキャリアからのデータを回復することを可能にする「直交性」をもたらす。時間領域では、ガード間隔(たとえば、サイクリックプレフィックス)を各OFDMシンボルに加えて、OFDMシンボル間干渉を抑制することができる。ULは、SC-FDMAをDFT拡散OFDM信号の形で使用して、高いピーク対平均電力比(PAPR)を補償することができる。
【００２３】
図3は、LTEにおけるDLフレーム構造の一例を示す図300である。フレーム(10ms)は、等しいサイズの10個のサブフレームに分割され得る。各サブフレームは、連続する2つのタイムスロットを含むことができる。リソースグリッドを使用して2つのタイムスロットを表すことができ、各タイムスロットはリソースブロックを含む。リソースグリッドは、複数のリソース要素に分割される。LTEでは、リソースブロックは、周波数領域における連続する12個のサブキャリアを含み、また、各OFDMシンボル中の通常のサイクリックプレフィックスの場合、時間領域における連続する7つのOFDMシンボル、すなわち84個のリソース要素を含む。拡張サイクリックプレフィックスの場合、リソースブロックは、時間領域における連続する6つのOFDMシンボルを含み、72個のリソース要素を有する。R 302、304として示す、リソース要素のうちのいくつかは、DL基準信号(DL-RS)を含む。DL-RSは、セル固有RS(CRS)(共通RSと呼ばれることもある)302およびUE固有RS(UE-RS)304を含む。UE-RS 304は、対応する物理DL共有チャネル(PDSCH)のマッピング先であるリソースブロック上のみで送信される。各リソース要素によって搬送されるビットの数は、変調方式に依存する。したがって、UEが受信するリソースブロックが多いほど、および変調方式が高いほど、UEのデータレートは高くなる。
【００２４】
図4は、LTEにおけるULフレーム構造の一例を示す図400である。ULのための利用可能なリソースブロックは、データセクションと制御セクションとに区分され得る。制御セクションは、システム帯域幅の2つの端部に形成されてよく、構成可能なサイズを有し得る。制御セクションのリソースブロックは、制御情報の送信のためにUEに割り当てられ得る。データセクションは、制御セクションに含まれないすべてのリソースブロックを含み得る。このULフレーム構造により、データセクションは連続的なサブキャリアを含むことになり、これにより、単一のUEに、データセクション中の連続的なサブキャリアのすべてを割り当てることができる。
【００２５】
制御情報をeNBに送信するために、制御セクション中のリソースブロック410a、410bをUEに割り当てることができる。また、データをeNBに送信するために、データセクション中のリソースブロック420a、420bをUEに割り当てることができる。UEは、制御セクション中の割り当てられたリソースブロック上の物理UL制御チャネル(PUCCH)中で、制御情報を送信することができる。UEは、データセクション中の割り当てられたリソースブロック上の物理UL共有チャネル(PUSCH)中で、データのみ、またはデータと制御情報の両方を送信することができる。UL送信は、サブフレームの両方のスロットにまたがることができ、周波数にわたってホップすることができる。
【００２６】
1組のリソースブロックを使用して、初期システムアクセスを実行し、物理ランダムアクセスチャネル(PRACH)430中でUL同期を達成することができる。PRACH 430は、ランダムシーケンスを搬送し、いかなるULデータ/シグナリングも搬送できない。各ランダムアクセスプリアンブルは、連続する6つのリソースブロックに対応する帯域幅を占める。開始周波数は、ネットワークによって指定される。すなわち、ランダムアクセスプリアンブルの送信は、いくつかの時間リソースおよび周波数リソースに制限される。PRACHでは、周波数ホッピングはない。PRACH試行は、単一のサブフレーム(1ms)中で、または少数の連続的なサブフレームのシーケンス中で搬送され、UEは、フレーム(10ms)ごとに単一のPRACH試行しか行うことができない。
【００２７】
図5は、LTEにおけるユーザプレーンおよび制御プレーンの無線プロトコルアーキテクチャの一例を示す図500である。UEおよびeNBの無線プロトコルアーキテクチャは、レイヤ1、レイヤ2、およびレイヤ3という3つのレイヤで示される。レイヤ1(L1レイヤ)は、最下位レイヤであり、様々な物理レイヤ信号処理機能を実装する。本明細書では、L1レイヤは物理レイヤ506と呼ばれる。レイヤ2(L2レイヤ)508は、物理レイヤ506の上にあり、物理レイヤ506を介したUEとeNBとの間のリンクを担う。
【００２８】
ユーザプレーンでは、L2レイヤ508は、媒体アクセス制御(MAC)サブレイヤ510、無線リンク制御(RLC)サブレイヤ512、およびパケットデータコンバージェンスプロトコル(PDCP)サブレイヤ514を含み、これらは、ネットワーク側のeNBにおいて終端する。図示されていないが、UEは、L2レイヤ508の上にいくつかの上位レイヤを有することができ、これらは、ネットワーク側のPDNゲートウェイ118において終端するネットワークレイヤ(たとえば、IPレイヤ)と、接続の他端(たとえば、遠端UE、サーバなど)において終端するアプリケーションレイヤとを含む。
【００２９】
PDCPサブレイヤ514は、異なる無線ベアラと論理チャネルとの間の多重化を行う。PDCPサブレイヤ514は、無線送信のオーバーヘッドを低減するための上位レイヤのデータパケットのヘッダ圧縮、データパケットを暗号化することによるセキュリティ、およびeNB間のUEのハンドオーバのサポートも提供する。RLCサブレイヤ512は、上位レイヤのデータパケットのセグメント化および再アセンブリ、紛失したデータパケットの再送信、ならびに、ハイブリッド自動再送要求(HARQ)による順序の狂った受信を補償するためのデータパケットの再順序付けを行う。MACサブレイヤ510は、論理チャネルとトランスポートチャネルとの間の多重化を行う。MACサブレイヤ510はまた、1つのセルの中の様々な無線リソース(たとえばリソースブロック)の複数のUEへの割振りを担う。MACサブレイヤ510はまた、HARQ動作を担う。
【００３０】
制御プレーンでは、UEおよびeNBの無線プロトコルアーキテクチャは、制御プレーンのヘッダ圧縮機能がないことを除いて、物理レイヤ506およびL2レイヤ508に関して実質的に同じである。制御プレーンはまた、レイヤ3(L3レイヤ)中に無線リソース制御(RRC)サブレイヤ516を含む。RRCサブレイヤ516は、無線リソース(すなわち、無線ベアラ)を取得すること、およびeNBとUEとの間のRRCシグナリングを使用して下位レイヤを構成することを担う。
【００３１】
図6は、アクセスネットワーク中でUE 650と通信しているeNB 610のブロック図である。DLでは、コアネットワークからの上位レイヤパケットが、コントローラ/プロセッサ675に与えられる。コントローラ/プロセッサ675は、L2レイヤの機能を実装する。DLでは、コントローラ/プロセッサ675は、ヘッダ圧縮、暗号化、パケットのセグメント化および並べ替え、論理チャネルとトランスポートチャネルとの間の多重化、ならびに、様々な優先度メトリックに基づくUE 650への無線リソース割振りを行う。コントローラ/プロセッサ675はまた、HARQ動作、紛失したパケットの再送、およびUE 650へのシグナリングを担う。
【００３２】
送信(TX)プロセッサ616は、L1レイヤ(すなわち、物理レイヤ)のための様々な信号処理機能を実装する。これらの信号処理機能は、UE 650における順方向誤り訂正(FEC)を容易にするための符号化およびインタリービングと、様々な変調方式(たとえば、2値位相シフトキーイング(BPSK)、直交位相シフトキーイング(QPSK)、M位相シフトキーイング(M-PSK)、M直交振幅変調(M-QAM))に基づく信号コンスタレーションへのマッピングとを含む。次いで、符号化され変調されたシンボルは、並列ストリームに分割される。次いで、各ストリームは、OFDMサブキャリアにマッピングされ、時間および/または周波数領域で基準信号(たとえば、パイロット)と多重化され、次いで逆高速フーリエ変換(IFFT)を使用して一緒に結合されて、時間領域OFDMシンボルストリームを搬送する物理チャネルが生成される。OFDMストリームは、空間的にプリコーディングされて、複数の空間ストリームが生成される。チャネル推定器674からのチャネル推定値を、符号化変調方式の決定ならびに空間処理に使用することができる。チャネル推定値は、UE 650によって送信された基準信号および/またはチャネル条件フィードバックから導出することができる。次いで、各空間ストリームは、別個の送信機618TXを介して異なるアンテナ620に与えられる。各送信機618TXは、送信用のそれぞれの空間ストリームによってRF搬送波を変調する。
【００３３】
UE 650において、各受信機654RXは、それぞれのアンテナ652を介して信号を受信する。各受信機654RXは、RF搬送波上に変調された情報を回復し、この情報を受信機(RX)プロセッサ656に与える。RXプロセッサ656は、L1レイヤの様々な信号処理機能を実装する。RXプロセッサ656は、情報に対して空間処理を実行して、UE 650に向けられたあらゆる空間ストリームを回復する。複数の空間ストリームがUE 650に向けられている場合、これらをRXプロセッサ656によって単一のOFDMシンボルストリームに結合することができる。次いで、RXプロセッサ656は、高速フーリエ変換(FFT)を使用して、OFDMシンボルストリームを時間領域から周波数領域に変換する。周波数領域信号は、OFDM信号の各サブキャリアについて別個のOFDMシンボルストリームを含む。各サブキャリア上のシンボル、および基準信号は、eNB 610によって送信された最も可能性の高い信号コンスタレーションポイントを決定することによって、回復され復調される。これらの軟判定は、チャネル推定器658によって計算されたチャネル推定値に基づくことができる。次いで、軟判定は復号されデインタリーブされて、物理チャネル上でeNB 610によって元々送信されたデータおよび制御信号が回復される。次いで、データおよび制御信号は、コントローラ/プロセッサ659に与えられる。
【００３４】
コントローラ/プロセッサ659は、L2レイヤを実装する。コントローラ/プロセッサは、プログラムコードおよびデータを記憶するメモリ660に関連付けられ得る。メモリ660は、コンピュータ可読媒体と呼ばれることもある。ULでは、コントローラ/プロセッサ659は、トランスポートチャネルと論理チャネルとの間の逆多重化、パケット再アセンブリ、暗号化解除、ヘッダ圧縮解除、制御信号処理を行って、コアネットワークからの上位レイヤパケットを回復する。次いで、上位レイヤパケットはデータシンク662に与えられ、データシンク662は、L2レイヤの上のすべてのプロトコルレイヤを表す。様々な制御信号も、L3処理のためにデータシンク662に与えられ得る。コントローラ/プロセッサ659はまた、HARQ動作をサポートするために、肯定応答(ACK)および/または否定応答(NACK)プロトコルを使用した誤り検出を担う。
【００３５】
ULでは、データソース667を使用して、上位レイヤパケットがコントローラ/プロセッサ659に与えられる。データソース667は、L2レイヤの上のすべてのプロトコルレイヤを表す。eNB 610によるDL送信に関して説明した機能と同様に、コントローラ/プロセッサ659は、ヘッダ圧縮、暗号化、パケットのセグメント化および並べ替え、ならびに、eNB 610による無線リソース割振りに基づく論理チャネルとトランスポートチャネルとの間の多重化を行うことによって、ユーザプレーンおよび制御プレーンのL2レイヤを実装する。コントローラ/プロセッサ659はまた、HARQ動作、紛失したパケットの再送、およびeNB 610へのシグナリングを担う。
【００３６】
eNB 610によって送信された基準信号またはフィードバックからチャネル推定器658によって導出されたチャネル推定値を、TXプロセッサ668によって使用して、適切な符号化変調方式を選択し、空間処理を容易にすることができる。TXプロセッサ668によって生成された空間ストリームは、別個の送信機654TXを介して、異なるアンテナ652に提供される。各送信機654TXは、送信用のそれぞれの空間ストリームによってRF搬送波を変調する。
【００３７】
UL送信は、eNB 610において、UE 650における受信機機能に関して説明した方法と同様の方法で処理される。各受信機618RXは、それぞれのアンテナ620を介して信号を受信する。各受信機618RXは、RF搬送波上に変調された情報を回復し、この情報をRXプロセッサ670に与える。RXプロセッサ670は、L1レイヤを実装することができる。
【００３８】
コントローラ/プロセッサ675は、L2レイヤを実装する。コントローラ/プロセッサ675は、プログラムコードおよびデータを記憶するメモリ676に関連付けられ得る。メモリ676は、コンピュータ可読媒体と呼ばれることもある。ULでは、コントローラ/プロセッサ675は、トランスポートチャネルと論理チャネルとの間の逆多重化、パケット再アセンブリ、暗号化解除、ヘッダ圧縮解除、制御信号処理を行って、UE 650からの上位レイヤパケットを回復する。コントローラ/プロセッサ675からの上位レイヤパケットは、コアネットワークに与えられ得る。コントローラ/プロセッサ675はまた、HARQ動作をサポートするために、ACKおよび/またはNACKプロトコルを使用した誤り検出を担う。
【００３９】
図7は、ネットワーク内の範囲拡張されたセルラー領域を示す図700である。一態様では、ネットワークは異種ネットワークであり得る。RRH 710bなどの低電力クラスeNBは、RRH 710bとマクロeNB 710aとの間の拡張セル間干渉協調によって、およびUE 720によって実行された干渉消去によってセルラー領域702から拡張された、範囲拡張されたセルラー領域703を有することができる。拡張セル間干渉協調では、RRH 710bは、UE 720の干渉状態について、マクロeNB 710aから情報を受信する。この情報は、RRH 710bが範囲拡張されたセルラー領域703内でUE 720にサービスし、UE 720が範囲拡張されたセルラー領域703に入ったときに、マクロeNB 710aからのUE 720のハンドオフを受け入れることを可能にする。
【００４０】
LTE Release 8/9/10では、PDCCHはサブフレーム内の第1のいくつかのシンボルに位置する。PDCCHはシステム帯域幅全体において完全に分散され、PDSCHと時間領域多重化される。事実上、サブフレームは制御領域とデータ領域に分割される。
【００４１】
LTE Release 11では、拡張PDCCH(以下で「ePDCCH」)などの新しい制御チャネルが導入されることになる。サブフレーム内の第1のいくつかの制御シンボルを占有するレガシーPDCCHとは異なり、ePDCCHは、PDSCHと同様に、サブフレーム内のデータ領域を占有する。ePDCCHは、制御チャネル容量を増大させ、周波数領域ICICをサポートし、制御チャネルリソースの改善された空間再利用を実現し、ビームフォーミングおよび/またはダイバーシティをサポートし、新しいキャリアタイプおよびMBSFNサブフレームで動作し、および/またはレガシーUEと同じキャリア上で共存することができる。
【００４２】
ePDCCHの局所型送信と分散型送信の両方がサポートされ得る。ePDCCHの分散型送信では、ePDCCHは複数の物理リソースブロック(PRB)にわたって分散される。さらに、たとえば、アンテナポート107、108、109、および110を使用して、復調基準信号(DM-RS)ベースのePDCCHがサポートされ得る。PDSCHは通常、アンテナポート7〜14を使用するように構成されることに留意されたい。ePDCCHは周波数分割多重化(FDM)に基づき、したがって、送信時間間隔(TTI)内で受信可能なトランスポートチャネル(TrCH)ビットの最大数に対する制限付きで、第1のスロットと第2のスロットの両方にまたがることができる。この制限は、UEに対する処理要件の緩和を可能にすることができる。たとえば、TTI内で受信可能なTrCHビットの最大数に対する制限は、UEの能力または条件が満たされるかどうか(たとえば、RTT > 100usであるとき)に依存し得る。PRBペア内でのPDSCHとePDCCHの多重化は許可されていない。PDSCH DM-RSについて定義される同じスクランブルシーケンス発生器は、ePDCCH DM-RSのために使用される。たとえば、ポート107〜110上のePDCCHのためのDM-RSのスクランブルシーケンス発生器は、式(1)を使用して初期化され得る。
【００４３】
【数１】
0006313302.tif 000002
【００４４】
式中、cinitは初期化値を表し、nsは無線フレーム内のスロット番号を表し、Xは候補値を表し、nSCIDはスクランブル識別子を表す。
【００４５】
LTE Release 11では、多地点協調送信(CoMP)方式がサポートされることになっており、多地点協調送信(CoMP)方式は、複数の基地局が1つまたは複数のUEへの送信を協調させる(DL CoMP)、あるいは1つまたは複数のUEからの受信を協調させる(UL CoMP)方式を指す。DL CoMPおよびUL CoMPは、UEに対して別々にまたは一緒に有効化され得る。CoMP方式は、たとえば、複数のeNBがUEのための同じデータを送信するジョイント送信(JT)(DL CoMP)、複数のeNBがUEのための同じデータを受信するジョイント受信(JR)(UL CoMP)、隣接セルにおけるUEに対する干渉を低減するために選ばれたビームを使用してeNBがUEに送信する協調ビームフォーミング(CBF)、およびデータ送信に関与するセルがサブフレームによって変化することができる動的ポイント選択(DPS)を含むことができる。
【００４６】
CoMPは同種ネットワークおよび/または異種ネットワーク(HetNet)に存在し得る。CoMPに関与するノード間の接続は、X2プロトコル(いくらかの遅延、制限された帯域幅)またはファイバ(最小遅延および「無制限の」帯域幅)に基づくことができる。HetNet CoMPでは、低電力ノードはリモート無線ヘッド(RRH)と呼ばれることがある。
【００４７】
CoMP動作を改善するために、PDSCH DM-RSシーケンス初期化は、LTE Release 8/9/10の場合のようにPCIに基づくのではなく、式1を使用して、いくつかの仮想セルIDに基づくことができる。したがって、LTE Release 8/9/10におけるPCIと比較すると、式1を参照して、Xの2つの候補値(たとえば、x(0)およびx(1))が構成される。一構成では、nSCIDは、ランク1および2のみに対して、x(0)またはx(1)の動的選択に再利用される。nSCIDは、2より大きいランクに対して、x(0)が使用されるときにゼロであることに留意されたい。たとえば、x(n)の値範囲(0≦n<2)はゼロから503であり得る。
【００４８】
LTE Release 8/9/10/11では、物理制御フォーマットインジケータチャネル(PCFICH)は、各サブフレームにおけるダウンリンク制御チャネル情報の送信に使用されるOFDMシンボルの数を示す制御フォーマットインジケータ(CFI)を搬送する。たとえば、大きい帯域幅が関与する場合、CFIは非MBSFNサブフレームの1つ、2つ、および3つのシンボル、ならびにMBSFNサブフレームの1つおよび2つのシンボルを示すことができる。シンボルの数はCRSポートの数に依存することもできる。たとえば、小さい帯域幅が関与する場合、CFIはMBSFNサブフレームの2つ、3つ、および4つのシンボルを示すことができる。したがって、PCFICHはシンボルの数で表される制御領域サイズを示す。PCFICHによる動的な制御領域の表示は、サブフレームごとの効率的なDLオーバーヘッド管理に役立つ。実際の負荷および他の条件に基づいて、eNBはサブフレームごとに制御領域サイズを調整し、場合によっては、PDSCHのためのリソースの量を最大化することができる。
【００４９】
図8は、サブフレーム800を示す図である。一態様では、サブフレーム800は、eNB(たとえば、図7のeNB 710a)からUE(たとえば、図7のUE 720)にDL信号で送信され得る。図8に示すように、サブフレーム800は、スロット1 802およびスロット2 804を含む。一態様では、サブフレーム800は、サブフレーム800の領域806および/または領域810にePCFICHを含むことができる。たとえば、ePCFICHは、ePDCCH 808などのePDCCH用に確保されたリソースの量を示すことができる。一態様では、サブフレーム800の領域810は、PDSCH(図8に図示せず)を含むことができる。一態様では、領域806は、PCFICHおよび/またはPDCCHをさらに含むことができる。別の態様では、サブフレーム800が新しいキャリアタイプ向けに構成されるとき、サブフレーム800は、いかなるレガシー制御領域(たとえば、PCFICHおよび/またはPDCCHを含む領域806)も含まないことがある。
【００５０】
一構成では、領域806内のePCFICHは、局所型ePDCCHと分散型ePDCCHの両方用に確保されたリソースの量を示すことができる。一態様では、ePCFICH値は、以下の4つの括弧内のリソース、すなわち、{局所型ePDCCHのためのリソースセット1、分散型ePDCCHのためのリソースセット2}、{局所型ePDCCHのためのリソースセット3、分散型ePDCCHのためのリソースセット4}、{局所型ePDCCHのためのリソースセット5}、または{分散型ePDCCHのためのリソースセット6}のうちのいずれか1つを示す2ビット値であってもよい。一例では、2ビットePCFICH値が「00」に設定された場合、UEは、2ビットePCFICH値が局所型ePDCCHのためのリソースセット1および分散型ePDCCHのためのリソースセット2を示すと理解することができる。別の例では、2ビットePCFICH値が「01」に設定された場合、UEは、2ビットePCFICH値が局所型ePDCCHのためのリソースセット3および分散型ePDCCHのためのリソースセット4を示すと理解することができる。
【００５１】
したがって、領域806内のePCFICHは、分散型ePDCCHのみのためのリソース、局所型ePDCCHのみのためのリソースを示すことができること、または一方のePCFICHが分散型ePDCCHのみのためのリソースを示し、他方が局所型ePDCCHのみのためのリソースを示す、2つのePCFICHを有することに加えて、局所型ePDCCHと分散型ePDCCHの両方のためのリソースを示すように構成され得る。
【００５２】
一態様では、領域806内のePCFICHがブロードキャスト(またはグループキャスト)用であり、ePDCCH 808がユニキャスト用であり得るので、ePDCCH 808およびePCFICH用のアンテナポートは異なり得る。一構成では、ePCFICHが分散型ePDCCHと多重化されるとき、分散型ePDCCHはアンテナポート107、108、109、および110のうちの1つを使用することができ、ePCFICHはアンテナポート111を使用することができる。別の構成では、ePDCCHによって使用されていないアンテナポート107、108、109、および110のうちの1つを再利用することができる。たとえば、ePDCCHはポート107を使用することができ、ePCFICHはポート109を使用することができる。そのような構成により、ePCFICHをPDSCHと多重化することができる。また別の構成では、ePCFICH用に定義された同じアンテナポートを、共通探索空間内のブロードキャストePDCCHまたはePDCCH用に再利用することができる。
【００５３】
UE 720が1つのサブフレーム内でeNB 710aから局所型ePDCCHおよび分散型ePDCCHを監視する必要があるとき、UE 720の探索空間は局所型ePDCCHと分散型ePDCCHとの間で分割され得る。たとえば、UE 720は、アグリゲーションレベル{1, 2, 4, 8}用にそれぞれ、合計で{6, 6, 2, 2}復号候補を復号する必要があり得る。たとえば、局所型ePDCCHと分散型ePDCCHとの間での分割は、局所型用にレベル{1, 2, 4}でそれぞれ{6, 6, 2}、分散型用にレベル8の2つの復号候補とすることができる。別の例では、局所型ePDCCHと分散型ePDCCHとの間での分割は、局所型または分散型用にレベル{1, 2, 4, 8}でそれぞれ{3, 3, 1, 1}とすることができる。
【００５４】
一態様では、局所型ePDCCHと分散型ePDCCHとの間での分割は、ePCFICH値にさらに依存し得る。一構成では、UE 720がePCFICHを復号しない場合、デフォルトの分割が使用され得る。たとえば、レベル{1, 2, 4, 8}の{6, 6, 2, 2}を仮定すると、UEは局所型ePCFICHのみを監視し得る。別の構成では、UEがより大きいePCFICHを復号する場合、UEは分散型ePDCCH用のより多くの復号候補を有することができる。
【００５５】
一態様では、ePDCCHの開始シンボルインデックスは、ePCFICH値にさらに依存し得る。一例として、ePDCCHは、1番目、2番目、3番目または4番目のシンボルから開始することができる。ePDCCHの可能な開始シンボルインデックスは、キャリアがレガシータイプか新しいタイプかにさらに依存し得る。一例として、レガシータイプのキャリアの場合、ePDCCHの開始シンボルは2番目、3番目、4番目または5番目とすることができるが、新しいタイプのキャリアの場合、ePDCCHの開始シンボルは1番目、2番目、3番目および4番目とすることができる。ePDCCHの可能な開始シンボルインデックスはまた、サブフレーム依存であり得る。一例として、マルチキャストブロードキャストシングルキャリア周波数ネットワーク(MBSFN)サブフレーム内のePDCCHの開始シンボルは、1番目、2番目および3番目のシンボルのみに限定され得る。ePDCCHの可能な開始シンボルインデックスのセットは、上位レイヤによってあらかじめ決定されるかまたは構成され得る。サブフレームにおけるePCFICHの送信は、そのサブフレームの開始シンボルインデックスを示すことができる。サブフレームにおけるePCFICHの送信は、(たとえば、2つのサブフレームが類似のまたは同じ干渉条件である場合)異なるサブフレームの開始シンボルインデックスを示すこともできる。ePCFICHによって示されたePDCCH開始シンボルインデックスは、別の信号によって示された値によってさらに上書きされ得る。一例として、レガシーキャリアタイプのサブフレームでは、UEは、たとえば、上位レイヤシグナリングによって、ePDCCHの開始シンボルインデックスがレガシーPCFICHの検出に基づくと判断することができる。この場合、UEは、ePCFICHによって示された開始シンボルインデックスを無視することができる。代替として、この場合のePCFICHは、ePDCCHの開始シンボルインデックスに関するいかなる情報も搬送しない場合がある。
【００５６】
一態様では、ePDCCHの開始シンボルおよびePCFICHの開始シンボルは同じでなくてもよい。一例として、ePCFICHの開始シンボルは特定のシンボルに固定され得るが、ePDCCHの開始シンボルはePCFICHまたはPCFICHによって動的に示され得る。
【００５７】
一態様では、ePCFICHは、1つまたは複数のePDCCHリソースセットについての情報を含むことができる。一例として、ePCFICHは、ePDCCHリソースセットの数を示すことができる。別の例として、ePCFICHは、1つまたは複数のePDCCHリソースセットのサイズおよび/またはロケーションを示すことができる。各リソースセットは、いくつかのPRBペアからなることができる。各ePDCCHリソースセットのサイズは、上位レイヤによってあらかじめ決定されるかまたは構成され得る。異なるePDCCHリソースセットのサイズは同じであってもよく、同じでなくてもよい。各リソースセットは、ePDCCH送信モード、たとえば、局所型ePDCCHまたは分散型ePDCCHに関連付けられ得る。一例として、ePDCCHリソースセットの数、各リソースセットのロケーションおよび/またはサイズ、ならびに各リソースセットのePDCCH送信モードについての情報のすべてまたは一部は、一緒に符号化され、ePCFICHによって示され得る。
【００５８】
一態様では、UEが1つのサブフレーム内でレガシーPDCCHおよびePDCCHを監視する必要があるとき、UEの探索空間はレガシーPDCCHとePDCCHとの間で分割され得る。分割は、レガシーPCFICH値および/またはePCFICH値にさらに依存し得る。
【００５９】
一態様では、ePCFICHは、実際のPCIの関数であり得る。一構成では、ePCFICHは、PCIとは別に構成された仮想セルIDの関数であり得る。そのような構成では、ePCFICHの仮想セルIDは、少なくともユニキャストトラフィックの場合、ePDCCHおよび/またはPDSCH用に構成された仮想セルIDとは別に構成され得る。ePCFICHの仮想セルIDは、ブロードキャストトラフィックの場合、ePDCCHおよび/またはPDSCHについて同じであってもよい。
【００６０】
一態様では、eNBはいくつかのサブフレームにおいてePCFICHを省略してもよく、ePCFICHが検出されなかったとき、UEはePDCCH用のリソースのデフォルトセットを仮定してもよい。一例として、ePDCCH用のリソースのデフォルトセットは、ePDCCH共通探索空間用に指定されたリソースであってもよい。一例として、ePDCCH用のリソースのデフォルトセットは、共通探索空間およびePDCCHリソースのRRC構成された複数セットのうちの第1のセットであってもよい。
【００６１】
図9は、ワイヤレス通信の方法のフローチャート900である。方法は、UE 720などのUEによって実行され得る。ステップ902で、UEはePDCCHのためのリソースを示すePCFICHを介してメッセージを受信し、ePDCCHは局所型ePDCCHまたは分散型ePDCCHのうちの少なくとも1つである。一態様では、受信されたメッセージは少なくとも1つのePCFICH値を含むことができる。一態様では、ePCFICH値は、以下の4つの括弧内のリソース、すなわち、{局所型ePDCCHのためのリソースセット1、分散型ePDCCHのためのリソースセット2}、{局所型ePDCCHのためのリソースセット3、分散型ePDCCHのためのリソースセット4}、{局所型ePDCCHのためのリソースセット5}、または{分散型ePDCCHのためのリソースセット6}のうちのいずれか1つを示す2ビット値であってもよい。
【００６２】
ステップ904で、UEは、少なくとも1つのePCFICH値に基づいて、局所型ePDCCHと分散型ePDCCHとの間で探索空間を分割する。たとえば、2ビットePCFICH値が「00」に設定された場合、UEは、2ビットePCFICH値が局所型ePDCCHのためのリソースセット1および分散型ePDCCHのためのリソースセット2を示すと理解することができる。
【００６３】
ステップ906で、UEは少なくとも1つのPCFICH値を受信する。ステップ908で、UEは、少なくとも1つのPCFICH値および少なくとも1つのePCFICH値に基づいて、PDCCHとePDCCHとの間で探索空間を分割する。
【００６４】
ステップ910で、UEは、メッセージを使用してePDCCHを処理する。一態様では、UEは、メッセージ内の2ビットePCFICH値によって示されたリソースのセット(たとえば、探索空間)に従ってePDCCHを位置決めし、ePDCCHを復号することによって、ePDCCHを処理する。
【００６５】
図9において点線で示されたステップ904、906、および908は任意選択のステップを表すことを理解されたい。たとえば、一態様では、ステップ902、904、および910は、ステップ906および908を実行することなく、実行され得る。別の例として、一態様では、ステップ902、906、908、および910は、ステップ904を実行することなく、実行され得る。
【００６６】
図10は、ワイヤレス通信の方法のフローチャート1000である。方法は、UE 720などのUEによって実行され得る。ステップ1002で、UEはeNB(たとえば、eNB 710a)から信号を受信する。たとえば、信号はDL信号であり得る。
【００６７】
ステップ1004で、UEはDL信号を介してePCFICHを受信する。ePCFICHは、少なくともPCIまたは仮想セル識別子の関数であり得る。一態様では、仮想セル識別子はPCIとは別に構成され、したがって、PCIに基づかない。
【００６８】
ステップ1006で、UEは、受信されたePCFICHを使用してDL信号内のePDCCHを処理する。一態様では、UEは、ePCFICHによって示されたリソースのセット(たとえば、探索空間)に従ってePDCCHを位置決めし、ePDCCHを復号することによって、ePDCCHを処理する。
【００６９】
図11は、ワイヤレス通信の方法のフローチャート1100である。方法は、UE 720などのUEによって実行され得る。ステップ1102で、UEはeNB(たとえば、eNB 710a)から信号を受信する。たとえば、信号はDL信号であり得る。
【００７０】
ステップ1104で、UEは、ePCFICHが受信されたDL信号内で検出されたかどうかを判断する。ePCFICHが受信されたDL信号内で検出された場合(1104)、ステップ1106で、UEは、ePCFICHによって示されたリソースのセットを使用してePDCCHを処理する。一態様では、UEは、ePCFICHによって示されたリソースのセット(たとえば、探索空間)に従ってePDCCHを位置決めし、ePDCCHを復号することによって、ePDCCHを処理する。
【００７１】
ePCFICHが受信されたDL信号内で検出されなかった場合(1104)、ステップ1108で、UEはリソースのデフォルトセットを使用してePDCCHを処理する。一態様では、リソースのデフォルトセットは、ePDCCHの共通探索空間用に指定されたリソースのセットに対応する。一態様では、UEは、リソースのデフォルトセット(たとえば、探索空間)に従ってePDCCHを位置決めし、ePDCCHを復号することによって、ePDCCHを処理する。
【００７２】
図12は、ワイヤレス通信の方法のフローチャート1200である。方法は、UE 720などのUEによって実行され得る。ステップ1202で、UEは少なくとも1つのePCFICH値を受信する。
【００７３】
ステップ1204で、UEは、受信された少なくとも1つのePCFICH値に少なくとも基づいて、ePDCCHの開始シンボルインデックスまたは1つもしくは複数のePDCCHリソースセットのいずれかを判断する。一態様では、開始シンボルインデックスの値は、キャリアがレガシータイプか新しいタイプかに基づいてさらに判断される。別の態様では、開始シンボルインデックスの値は、サブフレームインデックスに基づいてさらに判断される。別の態様では、ePDCCHの開始シンボルインデックスの値は、受信された少なくとも1つのePCFICHの開始シンボルインデックスとは異なる。
【００７４】
ステップ1206で、UEが1つまたは複数のePDCCHリソースセットを判断したとき、UEはePDCCHリソースセットの数を判断する。
【００７５】
ステップ1208で、UEが1つまたは複数のePDCCHリソースセットを判断したとき、UEは少なくとも1つのePDCCHリソースセットのサイズを判断する。
【００７６】
ステップ1210で、UEが1つまたは複数のePDCCHリソースセットを判断したとき、UEは少なくとも1つのePDCCHリソースのロケーションを判断する。
【００７７】
ステップ1212で、UEが1つまたは複数のePDCCHリソースセットを判断したとき、UEは少なくとも1つのePDCCHリソースセットのePDCCH送信モードを判断する。
【００７８】
図12において点線で示されたステップ1206、1208、1210および1212は任意選択のステップを表すことを理解されたい。たとえば、一実施形態では、ステップ1202および1204は、ステップ1206、1208、1210および/または1212を実行することなく、実行され得る。別の例として、一実施形態では、ステップ1202および1204は、任意選択のステップ1206、1208、1210および1212のうちの1つまたは複数と組み合わせて実行され得る。
【００７９】
図13は、ワイヤレス通信の方法のフローチャート1300である。方法は、eNB 710aなどのeNBによって実行され得る。ステップ1302で、eNBはePDCCHをユニキャストまたはブロードキャスト送信として構成する。
【００８０】
ステップ1304で、eNBは、ePDCCHがユニキャスト送信用に構成されているか、ブロードキャスト送信用に構成されているかに基づいて、ePCFICHのための第1のアンテナポートおよびePDCCHのための第2のアンテナポートを割り振る。一態様では、ePDCCHがユニキャスト送信として構成されるとき、第1のアンテナポートは、第2のアンテナポートとは異なる。
【００８１】
ステップ1306で、eNBは、割振りに基づいて、ePCFICHおよびePDCCHを送信する。たとえば、eNBは第1のアンテナポートを使用してePCFICHを送信することができ、第2のアンテナポートを使用してePDCCHを送信することができる。
【００８２】
図14は、例示的な装置1402における異なるモジュール/手段/構成要素間のデータフローを示す概念データフロー図1400である。装置は、UEであり得る。装置は、ePDCCHのためのリソースを示すePCFICHを介してeNB 1416からメッセージを受信することであって、ePDCCHは局所型ePDCCHまたは分散型ePDCCHのうちの少なくとも1つであること、少なくとも1つのPCFICH値を受信すること、ePCFICHを受信することであって、ePCFICHは少なくともPCIまたは仮想セル識別子の関数であり、仮想セル識別子はPCIに基づかないこと、および少なくとも1つのePCFICH値を受信することを行うモジュール1404を含む。装置は、少なくとも1つのePCFICH値に基づいて、局所型ePDCCHと分散型ePDCCHとの間で探索空間を分割し、少なくとも1つのPCFICH値および少なくとも1つのePCFICH値に基づいて、PDCCHとePDCCHとの間で探索空間を分割するモジュール1406と、eNB(たとえば、eNB 710a)からのDL信号内でePCFICHを検出するモジュール1408と、受信された少なくとも1つのePCFICH値に少なくとも基づいて、ePDCCHの開始シンボルインデックスまたは1つもしくは複数のePDCCHリソースセットのいずれかを判断し、ePDCCHリソースセットの数を判断し、少なくとも1つのePDCCHリソースセットのサイズを判断し、少なくとも1つのePDCCHリソースのロケーションを判断し、少なくとも1つのePDCCHリソースセットのePDCCH送信モードを判断するモジュール1410と、メッセージを使用してePDCCHを処理し、ePCFICHが検出されなかったときに、リソースのデフォルトセットを使用してePDCCHを処理するモジュール1412と、UL信号を送信するためのモジュール1414とをさらに含む。
【００８３】
装置は、図9〜図12の上述したフローチャート内のアルゴリズムのステップの各々を実行する追加のモジュールを含むことができる。したがって、図9〜図12の上述したフローチャート内の各ステップは、モジュールによって実行されてよく、装置は、これらのモジュールの1つまたは複数を含むことができる。モジュールは、指定されたプロセス/アルゴリズムを実行するように特別に構成され、指定されたプロセス/アルゴリズムを実行するように構成されたプロセッサによって実施され、プロセッサによる実施のためにコンピュータ可読媒体内に記憶される、1つもしくは複数のハードウェア構成要素、またはそれらの何らかの組合せであり得る。
【００８４】
図15は、処理システム1514を利用する装置1402'のためのハードウェア実装の一例を示す図1500である。処理システム1514は、バス1524によって概略的に表されるバスアーキテクチャで実装され得る。バス1524は、処理システム1514の特定の用途および全体的な設計制約に応じて、任意の数の相互接続するバスおよびブリッジを含み得る。バス1524は、プロセッサ1504によって表される1つまたは複数のプロセッサおよび/またはハードウェアモジュール、モジュール1404、1406、1408、1410、1412、および1414ならびにコンピュータ可読媒体1506を含む、様々な回路を互いにリンクさせる。バス1524は、タイミングソース、周辺機器、電圧調整器、および電力管理回路など、様々な他の回路をリンクさせることもでき、これらの回路は当技術分野でよく知られており、したがってこれ以上は説明しない。
【００８５】
処理システム1514は、トランシーバ1510に結合され得る。トランシーバ1510は、1つまたは複数のアンテナ1520に結合される。トランシーバ1510は、送信媒体を通じて様々な他の装置と通信するための手段を提供する。処理システム1514は、コンピュータ可読媒体1506に結合されたプロセッサ1504を含む。プロセッサ1504は、コンピュータ可読媒体1506上に記憶されたソフトウェアの実行を含む全般的な処理を担う。ソフトウェアは、プロセッサ1504によって実行されると、任意の特定の装置に対して上記で説明した様々な機能を処理システム1514に実行させる。コンピュータ可読媒体1506は、ソフトウェアを実行するときにプロセッサ1504によって操作されるデータを記憶するために使用されてもよい。処理システムは、モジュール1404、1406、1408、1410、1412、および1414のうちの少なくとも1つをさらに含む。モジュールは、コンピュータ可読媒体1506に常駐する/記憶される、プロセッサ1504で動作しているソフトウェアモジュール、プロセッサ1504に結合された1つもしくは複数のハードウェアモジュール、またはそれらの何らかの組合せとすることができる。処理システム1514は、UE 650の構成要素であり得、メモリ660、ならびに/または、TXプロセッサ668、RXプロセッサ656、およびコントローラ/プロセッサ659のうちの少なくとも1つを含み得る。
【００８６】
一構成では、ワイヤレス通信のための装置1402/1402'は、ePDCCHのためのリソースを示すePCFICHを介してメッセージを受信するための手段であって、ePDCCHが局所型ePDCCHまたは分散型ePDCCHのうちの少なくとも1つである、手段と、メッセージを使用してePDCCHを処理するための手段と、少なくとも1つのePCFICH値に基づいて、局所型ePDCCHと分散型ePDCCHとの間で探索空間を分割するための手段と、少なくとも1つのPCFICH値を受信するための手段と、少なくとも1つのPCFICH値および少なくとも1つのePCFICH値に基づいて、PDCCHとePDCCHとの間で探索空間を分割するための手段と、ePCFICHを受信するための手段であって、ePCFICHが少なくともPCIまたは仮想セル識別子の関数である、手段と、ePCFICHが検出されなかったときに、リソースのデフォルトセットを使用してePDCCHを処理するための手段と、少なくとも1つのePCFICH値を受信するための手段と、受信された少なくとも1つのePCFICH値に少なくとも基づいて、ePDCCHの開始シンボルインデックスまたは1つもしくは複数のePDCCHリソースセットのいずれかを判断するための手段と、ePDCCHリソースセットの数を判断するための手段と、少なくとも1つのePDCCHリソースセットのサイズを判断するための手段と、少なくとも1つのePDCCHリソースのロケーションを判断するための手段と、少なくとも1つのePDCCHリソースセットのePDCCH送信モードを判断するための手段とを含む。
【００８７】
上記の手段は、装置1402の上記のモジュールおよび/または上記の手段によって記載された能を実行するように構成された装置1402'の処理システム1514のうちの1つまたは複数であってよい。上記で説明したように、処理システム1514は、TXプロセッサ668、RXプロセッサ656、およびコントローラ/プロセッサ659を含み得る。したがって、一構成では、上記の手段は、上記の手段によって記載された機能を実行するように構成された、TXプロセッサ668、RXプロセッサ656、およびコントローラ/プロセッサ659であり得る。
【００８８】
図16は、例示的な装置1602における異なるモジュール/手段/構成要素間のデータフローを示す概念データフロー図1600である。装置は、eNBであり得る。装置は、UE 1612からUL信号を受信するためのモジュール1604と、ePDCCHをユニキャストまたはブロードキャスト送信として構成するモジュール1606と、ePDCCHがユニキャスト送信用に構成されているか、ブロードキャスト送信用に構成されているかに基づいて、ePCFICHのための第1のアンテナポートおよびePDCCHのための第2のアンテナポートを割り振るモジュール1608と、割振りに基づいて、ePCFICHおよびePDCCHをUE 1612に送信するモジュール1610とを含む。
【００８９】
装置は、図13の上述したフローチャート内のアルゴリズムのステップの各々を実行する追加のモジュールを含むことができる。したがって、図13の上述したフローチャート内の各ステップは、モジュールによって実行されてよく、装置は、これらのモジュールの1つまたは複数を含むことができる。モジュールは、指定されたプロセス/アルゴリズムを実行するように特別に構成され、指定されたプロセス/アルゴリズムを実行するように構成されたプロセッサによって実施され、プロセッサによる実施のためにコンピュータ可読媒体内に記憶される、1つもしくは複数のハードウェア構成要素、またはそれらの何らかの組合せであり得る。
【００９０】
図17は、処理システム1714を利用する装置1602'のためのハードウェア実装の一例を示す図1700である。処理システム1714は、バス1724によって概略的に表されるバスアーキテクチャで実装され得る。バス1724は、処理システム1714の特定の用途および全体的な設計制約に応じて、任意の数の相互接続するバスおよびブリッジを含み得る。バス1724は、プロセッサ1704によって表される1つまたは複数のプロセッサおよび/またはハードウェアモジュール、モジュール1604、1606、1608、および1610、ならびにコンピュータ可読媒体1706を含む、様々な回路を互いにリンクさせる。バス1724は、タイミングソース、周辺機器、電圧調整器、および電力管理回路などの様々な他の回路をリンクさせることもでき、これらの回路は当技術分野でよく知られており、したがってこれ以上は説明しない。
【００９１】
処理システム1714は、トランシーバ1710に結合され得る。トランシーバ1710は、1つまたは複数のアンテナ1720に結合される。トランシーバ1710は、送信媒体を通じて様々な他の装置と通信するための手段を提供する。処理システム1714は、コンピュータ可読媒体1706に結合されたプロセッサ1704を含む。プロセッサ1704は、コンピュータ可読媒体1706上に記憶されたソフトウェアの実行を含む全般的な処理を担う。ソフトウェアは、プロセッサ1704によって実行されると、任意の特定の装置に対して上記で説明した様々な機能を処理システム1714に実行させる。コンピュータ可読媒体1706は、ソフトウェアを実行するときにプロセッサ1704によって操作されるデータを記憶するために使用されてもよい。処理システムは、モジュール1604、1606、1608、および1610のうちの少なくとも1つをさらに含む。モジュールは、コンピュータ可読媒体1706に常駐する/記憶される、プロセッサ1704で動作しているソフトウェアモジュール、プロセッサ1704に結合された1つもしくは複数のハードウェアモジュール、またはそれらの何らかの組合せとすることができる。処理システム1714は、eNB 610の構成要素であり得、メモリ676、ならびに/または、TXプロセッサ616、RXプロセッサ670、およびコントローラ/プロセッサ675のうちの少なくとも1つを含み得る。
【００９２】
一構成では、ワイヤレス通信のための装置1602/1602'は、ePDCCHをユニキャストまたはブロードキャスト送信として構成するための手段と、ePDCCHがユニキャスト送信用に構成されているか、ブロードキャスト送信用に構成されているかに基づいて、ePCFICHのための第1のアンテナポートおよびePDCCHのための第2のアンテナポートを割り振る手段と、割振りに基づいて、ePCFICHおよびePDCCHを送信するための手段とを含む。
【００９３】
上記の手段は、装置1602の上記のモジュールおよび/または上記の手段によって記載された機能を実行するように構成された装置1602'の処理システム1714のうちの1つまたは複数であってよい。上記で説明したように、処理システム1714は、TXプロセッサ616、RXプロセッサ670、およびコントローラ/プロセッサ675を含み得る。したがって、一構成では、上記の手段は、上記の手段によって記載された機能を実行するように構成された、TXプロセッサ616、RXプロセッサ670、およびコントローラ/プロセッサ675であり得る。
【００９４】
開示したプロセスにおけるステップの特定の順序または階層は、例示的な手法の一例であることを理解されたい。設計上の選好に基づいて、プロセスにおけるステップの特定の順序または階層は再構成可能であることを理解されたい。さらに、いくつかのステップを組み合わせるか、または省略することができる。添付の方法クレームは、様々なステップの要素を例示的な順序で提示したものであり、提示された特定の順序または階層に限定されるものではない。
【００９５】
上記の説明は、本明細書で説明する様々な態様を当業者が実践できるようにするために与えられる。これらの態様への様々な変更は当業者には容易に明らかであり、本明細書で定義した一般的原理は他の態様に適用され得る。したがって、特許請求の範囲は本明細書で示す態様に限定されるよう意図されているわけではなく、文言通りの特許請求の範囲と整合するすべての範囲を許容するよう意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を指す。当業者に既知であるまたは後で既知になる、本開示全体にわたって説明される様々な態様の要素に対するすべての構造的および機能的等価物は、参照により本明細書に明確に組み込まれ、特許請求の範囲によって含まれることが意図される。さらに、本明細書で開示する内容は、そのような開示が特許請求の範囲で明示的に記載されているかどうかにかかわらず、公に供することは意図されていない。いかなるクレーム要素も、要素が「ための手段(means for)」という語句を使用して明確に記載されていない限り、ミーンズプラスファンクションとして解釈されるべきではない。
【符号の説明】
【００９６】
100  LTEネットワークアーキテクチャ、発展型パケットシステム(EPS)
102  ユーザ機器(UE)
104  発展型UMTS地上波無線アクセスネットワーク(E-UTRAN)
106  発展型ノードB(eNB)
108  他のeNB
110  発展型パケットコア(EPC)
112  モビリティ管理エンティティ(MME)
114  他のMME
116  サービングゲートウェイ
118  パケットデータネットワーク(PDN)ゲートウェイ
120  ホーム加入者サーバ(HSS)
122  事業者のIPサービス
200  アクセスネットワーク
202  セルラー領域、セル
204  マクロeNB
206  UE
208  低電力クラスeNB
410a、410b  リソースブロック
420a、420b  リソースブロック
430  物理ランダムアクセスチャネル(PRACH)
506  物理レイヤ
508  レイヤ2、L2レイヤ
510  媒体アクセス制御(MAC)サブレイヤ
512  無線リンク制御(RLC)サブレイヤ
514  パケットデータコンバージェンスプロトコル(PDCP)サブレイヤ
516  無線リソース制御(RRC)サブレイヤ
610  eNB
616  TXプロセッサ
618TX  送信機
618RX  受信機
620  アンテナ
650  UE
652  アンテナ
654TX  送信機
654RX  受信機
656  RXプロセッサ
658  チャネル推定器
659  コントローラ/プロセッサ
660  メモリ
662  データシンク
667  データソース
668  TXプロセッサ
670  RXプロセッサ
674  チャネル推定器
675  コントローラ/プロセッサ
676  メモリ
710a  マクロeNB
710b  RRH
702  セルラー領域
703  範囲拡張されたセルラー領域
720  UE
800  サブフレーム
802  スロット1
804  スロット2
806  領域
808  ePDCCH
810  領域
1402、1402'  装置
1404  モジュール
1406  モジュール
1408  モジュール
1410  モジュール
1412  モジュール
1414  モジュール
1416  eNB
1506  コンピュータ可読媒体
1504  プロセッサ
1510  トランシーバ
1514  処理システム
1520  アンテナ
1524  バス
1602、1602'  装置
1604  モジュール
1606  モジュール
1608  モジュール
1610  モジュール
1612  UE
1704  プロセッサ
1706  コンピュータ可読媒体
1710  トランシーバ
1714  処理システム
1720  アンテナ
1724  バス
【図１】
0006313302.tif 000003
【図２】
0006313302.tif 000004
【図３】
0006313302.tif 000005
【図４】
0006313302.tif 000006
【図５】
0006313302.tif 000007
【図６】
0006313302.tif 000008
【図７】
0006313302.tif 000009
【図８】
0006313302.tif 000010
【図９】
0006313302.tif 000011
【図１０】
0006313302.tif 000012
【図１１】
0006313302.tif 000013
【図１２】
0006313302.tif 000014
【図１３】
0006313302.tif 000015
【図１４】
0006313302.tif 000016
【図１５】
0006313302.tif 000017
【図１６】
0006313302.tif 000018
【図１７】
0006313302.tif 000019